(57)【要約】【課題】修正部分を画像データで取り込むことにより、記入ミスや入力ミスをなくして、正確な修正を可能とした図面修正装置を提供する。【解決手段】電気機器の端子部及びこの端子部に接続される配線の線番号に関する画像データと、電気機器の前記端子部を含むＣＡＤデータとを比較し、これら画像データとＣＡＤデータとの差異を検出し、この検出された差異により、ＣＡＤデータを修正し、修正されたＣＡＤデータに従って図面を生成する。【選択図】図１
2019053428.tif 000002
【特許請求の範囲】
【請求項１】
電気機器の端子部及びこの端子部に接続される配線の線番号に関する画像データを取込む画像データの取込部と、
前記電気機器の前記端子部を含むＣＡＤデータが記憶された記憶部と、
前記画像データ及び前記記憶部に記憶された前記ＣＡＤデータそれぞれにおける前記端子部及びこの端子部に接続される配線の線番号とを比較し、これら画像データとＣＡＤデータとの差異を検出する比較部と、
この比較部により検出された前記差異により、前記ＣＡＤデータを修正するデータ修正部と、
修正された前記ＣＡＤデータに従って図面を生成する生成部と、
を備えたことを特徴とする図面修正装置。
【請求項２】
前記画像データの取込部は、前記電気機器の前記端子部及びこの端子部に接続される配線の線番号を撮影するカメラであり、前記比較部は、前記カメラで撮影された前記画像データと、前記ＣＡＤデータとを比較するものであることを特徴とする請求項１に記載の図面修正装置。
【請求項３】
前記画像データの取込部は、手書き修正された図面をスキャンし手書き文字を判別して前記画像データとして出力する画像認識部であり、前記比較部は、前記画像認識部からの前記画像データと、前記ＣＡＤデータとを比較するものであることを特徴とする請求項１に記載の図面修正装置。
【発明の詳細な説明】
【技術分野】
【０００１】
本発明の実施形態は、改造などにより実際の製品と、その製品の図面との間に生じる差異を修正する図面修正装置に関する。
【背景技術】
【０００２】
電気機器等の製品（例えば、現場操作盤等）の試験工程等では、部分的に改造を行ったり、或いは、実際の製品とその製品の図面内容の不一致が発見されたりすることがある。このような場合、製品の図面を、実際の製品の内容に修正する必要がある。この他、既設盤の改造を行った場合も、既設盤の図面を改造後の内容に修正する必要がある。
【０００３】
このように図面の修正を行う場合は、主に次の方法で行っていた。すなわち、製品の試験工程等における改造や、実際の製品と図面との不一致が発見された場合は、その製品の図面の改造箇所や不一致箇所について、改造内容や、製品の正しい情報を、不一致箇所の発見者（主に試験検査担当者）が製品図面に手書きで書き込む。設計者は、その手書きされた図面を見て、元の図面データの修正を行っている。また、既設盤の改造を行った場合は、改造者が既設盤の図面に変更部分を、手書きで書き込む。さらに、改造前であっても、改造予定者が改造予定の内容を既存の製品図面の改造予定箇所に朱書きすることがある。設計者はそれらの書き込みを元に既設盤図面データの修正を行っている。
【先行技術文献】
【特許文献】
【０００４】
【特許文献１】特開平７−２００６４８号公報
【発明の概要】
【発明が解決しようとする課題】
【０００５】
このように、従来の図面修正方法では、現在の製品と図面を人が比較することで、変更部分を確認しなければいけなかった。また、手書きで書かれたものを他者が見て、元の図面データの修正を行う必要があった。すなわち、上述の図面修正方法では、手書きで作成された朱書き図面を基に他者が図面を修正しているため、記入ミスや入力ミスなどの間違いが発生しやすく、図面を修正するのに時間がかかってしまっていた。また、製品と図面とに差異がある場合も、この差異を人間系で確認し、図面に手書きで反映する必要があった。
【０００６】
本発明は、修正部分を画像データで取り込むことにより、記入ミスや入力ミスをなくして、正確な修正を可能とした図面修正装置を提供することにある。
【課題を解決するための手段】
【０００７】
本発明の実施の形態に係る図面修正装置は、電気機器の端子部及びこの端子部に接続される配線の線番号に関する画像データの取込部と、前記電気機器の前記端子部を含むＣＡＤデータが記憶された記憶部と、前記画像データと、前記記憶部に記憶されたＣＡＤデータの前記端子部及びこの端子部に接続される配線の線番号とを比較し、これら画像データとＣＡＤデータとの差異を検出する比較部と、この比較部により検出された前記差異により、前記ＣＡＤデータを修正するデータ修正部と、修正されたＣＡＤデータに従って図面を生成する生成部とを備えたことを特徴とする。
【０００８】
上記構成によれば、修正部分を画像データで取り込むことにより、記入ミスや入力ミスをなくして、正確な修正を可能となる。
【図面の簡単な説明】
【０００９】
【図１】本発明の一実施形態に係る図面修正装置を示す機能ブロック図である。
【発明を実施するための形態】
【００１０】
以下、本発明の実施の形態について、図面を参照して詳細に説明する。
【００１１】
この実施形態に係る図面修正装置は、製品、例えば、制御盤や現場操作盤などの電気機器の改造部分の写真や、改造内容などを手書した図面を画像認識で判別し、この電気機器の改造前の図面（以下、元図面と呼ぶ）との相違点を抽出し、相違点を元図面のデータに反映させることで、元図面を修正する図面修正装置である。
【００１２】
図１はこの図面修正装置の基本構成を示す機能ブロック図である。図１において、図面修正装置は、画像データの取込部１１と、ＣＡＤデータの記憶部１２と、画像データとＣＡＤデータとの比較部１３とを有する。
【００１３】
画像データの取込部１１は、図示しない制御盤や現場操作盤などの電気機器の端子部及びこの端子部に接続される配線の線番号に関する画像データを取込む機能部である。また、電気機器の部品に部品名称（デバイスナンバー）が黄マットと呼ばれるシールで貼られているので、このデバイスナンバーも取込対象とすることができる。これらの画像データの取込部１１としては、被写体像を撮影して、この被写体像の画像データを取得するカメラ１１ａや、図面をスキャンして、図面上に記載された手書き文字を文字認識可能な画像認識部１１ｂが用いられる。
【００１４】
ＣＡＤデータの記憶部１２には、予め電気機器の端子部を含むＣＡＤデータが記憶されている。周知のように現在、図面はＣＡＤ装置により作成されており、ＣＡＤ装置の記憶部には図面を構成するためのＣＡＤデータが記憶されている。記憶部１２は、このＣＡＤ装置の記憶部に相当するものであり、前述した電気機器の製品図面を構成するＣＡＤデータが記憶されている。
【００１５】
なお、制御盤や現場操作盤等の電気機器の図面の一つとして、制御内容や、操作内容を表す回路図が用いられている。この回路図には、回路を構成する電気品の端子部の番号や、この端子部に接続される配線の線番号などが付されており、これらはＣＡＤデータとして記憶部に記憶されている。
【００１６】
比較部１３は、画像データの取込部１１から出力される画像データと、記憶部１２に記憶されたＣＡＤデータの前述した端子部の番号及びこの端子部に接続される配線の線番号とを比較し、これら画像データとＣＡＤデータとの差異を検出する。
【００１７】
この実施の形態における図面修正装置は、このほかにデータ修正部１５、及び図面生成部１６を有する。
【００１８】
データ修正部１５は、比較部１３により画像データとＣＡＤデータとの差異が検出された場合、この検出された差異によりＣＡＤデータを修正する。図面生成部１６は、修正されたＣＡＤデータに従って新たに図面を生成する。
【００１９】
上記構成において、製品である制御盤や現場操作盤などの電気機器を試験検査する場合、試験員が現場において電気機器の一部を改造することがある。また、上述した試験検査時に限らず、既設盤を改造することもある。このような場合、現場では、改造部分をカメラ１１ａにより撮影する。カメラ１１ａにより撮影された被写体像、すなわち改造部分の画像は画像データとして比較部１３に出力される。
【００２０】
一方、記憶部１２には改造対象の電気機器のＣＡＤデータが記憶されているので、比較部１３は、記憶部１２から、該当する電気機器のＣＡＤデータを読み出し、カメラ１１ａから出力された画像データと比較する。すなわち、カメラ１１ａから出力される画像データには端子部の番号とこの端子部に接続される配線の線番号が含まれており、比較部はこの画像データと記憶部１２から読み出したＣＡＤデータとを比較し、差異を検出する。
【００２１】
この比較の結果、差異がある場合は、電気機器の接続構成を現場で改造したか、或いは図面上の誤りを現場で発見し、正しい接続状態に修正したか、のいずれかであり、これらは図面上に正しく反映する必要がある。このためデータ修正部１５は、検出された差異により、ＣＡＤデータを修正する。すなわち、カメラ１１ａから出力された画像データと同じ内容に修正する。
【００２２】
図面生成部１６は、修正されたＣＡＤデータに従って新たに図面を生成する。このため改造後の電気機器を表す図面、或いは図面上の誤りを正した図面、が新たに生成される。
【００２３】
すなわち、端子台などの実物の画像から情報を読み取り、その情報と元図面とを比較し、変更部分の図面データを生成して、変更後の図面データを出力するものである。
【００２４】
上述の説明は、画像データの取込部１１として改造部分を撮影するカメラ１１ａを用いた場合であるが、次に、画像データの取込部１１として画像認識部１１ｂを用いた場合を説明する。
【００２５】
制御盤や現場操作盤などの電気機器を現場で改造した場合、現場では、この改造内容を元図面（改造前の電気機器の図面）上に朱色などで手書きにより記載することが広く行われている。このように手書きされた改造内容も、元図面上に反映して改造後の図面を新たに生成する必要がある。
【００２６】
この場合、画像データの取込部１１として、図面をスキャンして、図面上に記載された手書き文字を読み取り判読して画像データとして出力する画像認識部１１ｂを用いる。画像認識部１１ｂからは、改造された部分に関する手書き内容を読み取って判読した画像データが出力されるので、比較部１３は、この画像データと記憶部１２から読み出したＣＡＤデータとを比較し、差異を検出する。
【００２７】
この比較の結果、差異がある場合、電気機器の接続構成を現場で改造したか、或いは図面上の誤りを現場で発見し、正しい接続状態に修正したか、のいずれかであり、これらは図面上に正しく反映する必要がある。このためデータ修正部１５は、検出された差異により、ＣＡＤデータを修正し、画像認識部１１ｂから出力された画像データと同じ内容にする。
【００２８】
図面生成部１６は、修正されたＣＡＤデータに従って新たに図面を生成する。このため改造後の電気機器を表す図面、或いは図面上の誤りを正した図面、が新たに生成される。
【００２９】
すなわち、手書き図面を画像データに変換し、その画像データと元図面のＣＡＤデータとを入力として比較し、変更部分の図面データを生成し、変更後の図面データを出力するものである。
【００３０】
このように、画像データと元図面とを比較し、修正された図面データを生成することにより、従来の人為的な修正作業による誤字脱字や入力ミス等の間違いを無くなり、図面修正の効率が向上する。
【００３１】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００３２】
１１…画像データの取込部
１１ａ…カメラ
１１ｂ…画像認識部
１２…ＣＡＤデータの記憶部
１３…比較部
１５…データ修正部
１６…図面生成部
【図１】
2019053428.tif 000003